【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
第１の電流コレクタおよび第２の電流コレクタと、
前記第１の電流コレクタに電気的に結合されている正極と、
前記第２の電流コレクタに電気的に結合されている負極と、
前記正極と前記負極との間に位置付けられているセパレータと、
前記正極および前記負極とイオン的に接触している電解質と、
前記正極、前記負極、前記セパレータおよび前記電解質を保持するためのハウジング構成要素と
を備えるウルトラキャパシタであって、
前記正極および前記負極の少なくとも一つは、未処理炭素材料よりも表面の少なくとも一つの官能基の数が約１０％〜約６０％少ない処理済み炭素材料を含み、
前記ウルトラキャパシタは、６５℃において３ボルト以上において動作し、１５００時間超にわたってその初期キャパシタンスの８０％超を維持するように構成されている、約２．８ボルト〜約３ボルトで動作するように構成されているウルトラキャパシタ。
【請求項２】
第１の電流コレクタおよび第２の電流コレクタと、
前記第１の電流コレクタに電気的に結合されている正極と、
前記第２の電流コレクタに電気的に結合されている負極と、
前記正極と前記負極との間に位置付けられているセパレータと、
前記正極および前記負極とイオン的に接触している電解質と、
前記正極、前記負極、前記セパレータおよび前記電解質を保持するためのハウジング構成要素と
を備えるウルトラキャパシタであって、
前記正極および前記負極の少なくとも一つは、未処理炭素材料よりも表面の少なくとも一つの官能基の数が約１０％〜約６０％少ない処理済み炭素材料を含み、
前記ウルトラキャパシタは、６５℃において３ボルト以上において動作し、１５００時間超にわたってその初期等価直列抵抗の２００％未満を維持するように構成されている、約２．８ボルト〜約３ボルトで動作するように構成されているウルトラキャパシタ。
【請求項３】
前記少なくとも一つの官能基は、水素含有官能基、窒素含有官能基、または酸素含有官能基である、請求項１または２に記載のウルトラキャパシタ。
【請求項４】
前記処理済み炭素材料は、その約１％未満が水素を含む官能基を有する、請求項３に記載のウルトラキャパシタ。
【請求項５】
前記処理済み炭素材料は、その約０．５％未満が窒素を含む官能基を有する、請求項３に記載のウルトラキャパシタ。
【請求項６】
前記処理済み炭素材料は、その約５％未満が酸素を含む官能基を有する、請求項３に記載のウルトラキャパシタ。
【請求項７】
前記処理済み炭素材料は、前記未処理炭素材料よりも約３０％少ない水素含有官能基を有する、請求項３に記載のウルトラキャパシタ。
【請求項８】
前記正極および前記負極の少なくとも１つは、その内部のイオン移動度に対して最適化されたマイクロ多孔性およびメソ多孔性を含む炭素ベースの層を有する、請求項１または２に記載のウルトラキャパシタ。
【請求項９】
前記炭素ベースの層は、約６０％〜約８５％のマイクロ多孔性を含む、請求項８に記載のウルトラキャパシタ。
【請求項１０】
前記炭素ベースの層は、約７０％または約８０％のマイクロ多孔性を含む、請求項９に記載のウルトラキャパシタ。
【請求項１１】
前記炭素ベースの層は、約１０％〜約３５％のメソ多孔性を含む、請求項８に記載のウルトラキャパシタ。
【請求項１２】
前記炭素ベースの層は、約２０％または約２５％のメソ多孔性を含む、請求項１１に記載のウルトラキャパシタ。
【請求項１３】
前記炭素ベースの層は、約５％未満のマクロ多孔性を含む、請求項８に記載のウルトラキャパシタ。
【請求項１４】
前記炭素ベースの層は、約１％未満のマクロ多孔性を含む、請求項１３に記載のウルトラキャパシタ。
【請求項１５】
第１の電流コレクタおよび第２の電流コレクタと、
前記第１の電流コレクタに電気的に結合されている正極と、
前記第２の電流コレクタに電気的に結合されている負極と、
前記正極と前記負極との間に位置付けられているセパレータと、
前記正極および前記負極とイオン的に接触している電解質と、
前記正極、前記負極、前記セパレータおよび前記電解質を保持するためのハウジング構成要素と
を備えるウルトラキャパシタであって、
前記正極および前記負極の少なくとも一つは、約１％未満が水素を含む官能基、約０．５％未満の窒素を含む官能基、または約５％未満の酸素を含む官能基のいくらかを表面に有する処理済み炭素材料を含み、
前記ウルトラキャパシタは、１５００時間超にわたってその初期等価直列抵抗の２００％未満を維持しながら、６５℃以上の温度で３ボルトにおいて動作することが可能である、ウルトラキャパシタ。
【請求項１６】
第１の電流コレクタおよび第２の電流コレクタと、
前記第１の電流コレクタに電気的に結合されている正極と、
前記第２の電流コレクタに電気的に結合されている負極と、
前記正極と前記負極との間に位置付けられているセパレータと、
前記正極および前記負極とイオン的に接触している電解質と、
前記正極、前記負極、前記セパレータおよび前記電解質を保持するためのハウジング構成要素と
を備えるウルトラキャパシタであって、
前記正極および前記負極の少なくとも一つは、約２０％〜約２５％のメソ多孔性、および約７０％〜約８０％のマイクロ多孔性を有する炭素ベースの層を含み、
前記ウルトラキャパシタは、１５００時間超にわたってその初期等価直列抵抗の２００％未満を維持しながら、６５℃以上の温度で３ボルトにおいて動作することが可能である、ウルトラキャパシタ。
【請求項１７】
前記炭素ベースの層は、約５％未満のマクロ多孔性を含む、請求項１６に記載のウルトラキャパシタ。
【請求項１８】
前記炭素ベースの層は、約１％未満のマクロ多孔性を含む、請求項１６に記載のウルトラキャパシタ。
【請求項１９】
前記正極および前記負極の少なくとも一つは、未処理炭素材料よりも表面の少なくとも一つの官能基の数が約１０％〜約６０％少ない処理済み炭素材料を含む、請求項１６〜１８のいずれかに記載。
【請求項２０】
前記処理済み炭素材料は、その約１％未満が水素を含む官能基を有する、請求項１９に記載のウルトラキャパシタ。
【請求項２１】
前記処理済み炭素材料は、その約０．５％未満が窒素を含む官能基を有する、請求項１９に記載のウルトラキャパシタ。
【請求項２２】
前記処理済み炭素材料は、その約５％未満が酸素を含む官能基を有する、請求項１９に記載のウルトラキャパシタ。
【請求項２３】
前記処理済み炭素材料は、前記未処理炭素材料よりも約３０％少ない水素含有官能基を有する、請求項１９に記載のウルトラキャパシタ。
【請求項２４】
前記正極は第１の厚さを含み、前記負極は第２の厚さを含み、前記正極の前記第１の厚さは前記負極の前記第２の厚さよりも大きい、請求項１〜２３のいずれか一項に記載のウルトラキャパシタ。
【請求項２５】
前記第１の厚さは、前記第２の厚さよりも１０％だけ大きい、請求項２４に記載のウルトラキャパシタ。
【請求項２６】
前記ハウジング構成要素は、前記電解質に曝される内面と、外面とを備え、前記内面の少なくとも一部分に沿って保護コーティングが被着される、請求項１〜２５のいずれか一項に記載のウルトラキャパシタ。
【請求項２７】
前記保護コーティングは、非導電性材料を含むバリア膜を含む、請求項２６に記載のウルトラキャパシタ。
【請求項２８】
前記非導電性材料は、ポリマー材料を含む、請求項２７に記載のウルトラキャパシタ。
【請求項２９】
前記ポリマー材料は、ポリエポキシド、ポリオレフィン、ポリエチレン、ポリイミド、ポリエーテルエーテルケトン、ポリウレタン、エチレンプロピレンゴム、ポリ（ｐ−キシリレン）、ポリテトラフルオロエチレン（ＰＴＦＥ）、ポリフッ化ビニリデン（ＰＶＤＦ）、エチレンテトラフルオロエチレン（ＥＴＦＥ）、フッ素化エチレンプロピレン、それらの共重合体、及びセラミック被覆のうちの少なくとも１つを含む、請求項２８に記載のウルトラキャパシタ。
【請求項３０】
前記保護コーティングは、約５μｍ〜約５５μｍの厚さを有する、請求項２６〜２９のいずれか一項に記載のウルトラキャパシタ。
【請求項３１】
前記ウルトラキャパシタは、５００ｋサイクル超のサイクル寿命で６５℃において動作するように構成されている、請求項１〜３０のいずれか一項に記載のウルトラキャパシタ。
【請求項３２】
前記ウルトラキャパシタは、６５℃において３ボルト以上において動作し、１５００時間超にわたってその初期キャパシタンスの８０％超を維持するように構成されている、請求項２〜３１のいずれか一項に記載のウルトラキャパシタ。